(57)【要約】    【課題】  デジタル映像再生装置の検査を簡易化させる。    【解決手段】  検査用映像送出装置１は、所定時間間隔Ｔごとに検査画像が挿入されたＭＰＥＧストリームをデジタル放送受信装置２に送出する。検査装置３は、デジタル放送受信装置２に送出されたＭＰＥＧストリームのフレームの検査画像をパルス信号の検出に応じて取得しメモリ３２に記憶する。そして、前回記憶されたフレームの画像と今回記憶されたフレームの画像とが同一であるか否かを判断する。異なる場合、映像信号にノイズが発生していることを示すノイズ発生アラートをメモリ３２や印刷媒体などに記録する。【選択図】  図１
2005340970.tif 000002
【特許請求の範囲】
【請求項１】
検査用画像のアナログ映像信号の垂直ブランキング期間にパルス信号を重畳する重畳手段と、
前記パルス信号の重畳されたアナログ映像信号からＭＰＥＧストリームを作成する作成手段と、
前記ＭＰＥＧストリームをデジタル映像信号として出力する映像信号出力手段と、
前記映像信号出力手段からデジタル映像再生装置に出力されたデジタル映像信号の入力を受け付ける入力手段と、
前記入力手段に入力されたデジタル映像信号の垂直ブランキング期間に重畳されたパルス信号を検出する検出手段と、
前記パルス信号の検出に応じ、前記入力手段に入力されたデジタル映像信号のフレームから前記所定の時間間隔ごとに画像を取得する取得手段と、
前回取得した画像と今回取得した画像とが一致するか否かを判定し、一致しない場合、所定の第１信号を出力する第１信号出力手段と、
前記パルス信号が前記所定の時間間隔内で検出されたか否かを判定し、検出されない場合、所定の第２信号を出力する第２信号出力手段と、
を備えることを特徴とするデジタル映像再生装置用検査システム。
【請求項２】
少なくとも所定の画像が所定の時間間隔ずつ各フレームに挿入されたＭＰＥＧストリームを作成する作成手段と、
前記ＭＰＥＧストリームをデジタル映像信号として出力する映像信号出力手段と、
を備えることを特徴とする検査用映像出力装置。
【請求項３】
前記所定の画像のアナログ映像信号の垂直ブランキング期間にパルス信号を重畳する重畳手段をさらに備え、
前記作成手段は、前記パルス信号が重畳されたアナログ映像信号に基づいて前記ＭＰＥＧストリームを作成することを特徴とする請求項２記載の検査用映像出力装置。
【請求項４】
前記所定の画像は検査用画像であることを特徴とする請求項２又は３記載の検査用映像出力装置。
【請求項５】
請求項２から４のいずれかに記載の検査用映像出力装置からデジタル映像再生装置に出力されたデジタル映像信号の入力を受け付ける入力手段と、
前記入力手段に入力されたデジタル映像信号のフレームから所定の時間間隔ごとに所定の画像を取得する取得手段と、
前回取得した所定の画像と今回取得した所定の画像とが一致するか否かを判定し、一致しない場合、所定の第１信号を出力する第１信号出力手段と、
を備えることを特徴とするデジタル映像再生装置用検査装置。
【請求項６】
前記入力手段に入力されたデジタル映像信号の垂直ブランキング期間に重畳されたパルス信号を検出する検出手段をさらに備え、
前記取得手段は、前記パルス信号の検出に応じ、前記入力手段に入力されたデジタル映像信号のフレームから前記所定の時間間隔ごとに所定の画像を取得することを特徴とする請求項５記載のデジタル映像再生装置用検査装置。
【請求項７】
前記パルス信号が前記所定の時間間隔内で検出されたか否かを判定し、検出されない場合、所定の第２信号を出力する第２信号出力手段をさらに備えることを特徴とする請求項６記載のデジタル映像再生装置用検査装置。
【請求項８】
少なくとも所定の画像が所定の時間間隔ずつ各フレームに挿入されたＭＰＥＧストリームを作成する作成手段と、
前記ＭＰＥＧストリームをデジタル映像信号として出力する映像信号出力手段と、
前記映像信号出力手段からデジタル映像再生装置に出力されたデジタル映像信号の入力を受け付ける入力手段と、
前記入力手段に入力されたデジタル映像信号のフレームから前記所定の時間間隔ごとに画像を取得する取得手段と、
前回取得した画像と今回取得した画像とが一致するか否かを判定し、一致しない場合、所定の第１信号を出力する第１信号出力手段と、
を備えることを特徴とするデジタル映像再生装置用検査システム。
【発明の詳細な説明】
【技術分野】
【０００１】
本発明は、デジタル映像再生装置の検査に関する。
【背景技術】
【０００２】
従来、デジタル放送受信装置、ＤＶＤ再生装置などのデジタル映像再生装置の生産時における映像の出力異常を検査するための様々な技術が開発されている。例えば、特許文献１には、１つのモニタ上にカラーバー信号、マルチバースト信号、黒縦線を出力表示するビデオ信号発生器が開示されている。この技術によると、再生画像の確認で商品の良否を判断でき、検査時間を短縮でき、信号発生器の種類を１つにすることができる。
【０００３】
また、特許文献２の画像入出力装置は、画像入力部から入力したアナログ映像信号をデジタル画像データに変換してフレームメモリに格納する一方、フレームメモリからデータを読み出してアナログ信号に変換し、画像出力部から映像表示装置に出力する。この技術によると、画像入出力装置単体で入力、出力両方を検査できる。
【０００４】
なお、デジタル映像記録再生装置においてアナログビデオ信号をデジタル信号に変換する際、特許文献３に記載されるようにアナログビデオ信号の垂直ブランキング期間に重畳した文字情報を検出して符号化し、文字情報を取り除いた映像信号を記録媒体に記録することができる。
【特許文献１】特開平９−９８４４７号公報
【特許文献２】特開２００２−３４５００２号公報
【特許文献３】特開２００１−６９４５２号公報
【発明の開示】
【発明が解決しようとする課題】
【０００５】
ところが、特許文献１の技術では、再生画面を目視して確認する必要があるため、特に検査時にその異常が再現されにくいエージング時の検査での検査精度に問題があり、量産性、効率性の低下につながる。また、特許文献２の技術は、出力の検査のみを行う場合には入力検査の機能は不要となる。本発明の目的は、デジタル映像再生装置の検査を簡易化させることにある。
【課題を解決するための手段】
【０００６】
請求項１記載の発明は、検査用画像のアナログ映像信号の垂直ブランキング期間にパルス信号を重畳する重畳手段と、前記パルス信号の重畳されたアナログ映像信号からＭＰＥＧストリームを作成する作成手段と、前記ＭＰＥＧストリームを前記パルス信号の重畳されたデジタル映像信号として出力する映像信号出力手段と、前記映像信号出力手段からデジタル映像再生装置に出力されたデジタル映像信号の入力を受け付ける入力手段と、前記入力手段に入力されたデジタル映像信号の垂直ブランキング期間に重畳されたパルス信号を検出する検出手段と、前記パルス信号の検出に応じ、前記入力手段に入力されたデジタル映像信号のフレームから前記所定の時間間隔ごとに画像を取得する取得手段と、前回取得した画像と今回取得した画像とが一致するか否かを判定し、一致しない場合、所定の第１信号を出力する第１信号出力手段と、前記パルス信号が前記所定の時間間隔内で検出されたか否かを判定し、検出されない場合、所定の第２信号を出力する第２信号出力手段と、を備えることを特徴とするデジタル映像再生装置用検査システムである。
【０００７】
請求項２記載の発明は、少なくとも所定の画像が所定の時間間隔ずつ各フレームに挿入されたＭＰＥＧストリームを作成する作成手段と、前記ＭＰＥＧストリームをデジタル映
像信号として出力する映像信号出力手段と、を備えることを特徴とする検査用映像出力装置である。
【０００８】
本発明によると、所定の時間間隔ずつ、例えば１秒間ずつ所定の画像が各フレームに挿入されたＭＰＥＧストリームがデジタル映像信号として出力される。デジタル映像信号の出力とは、例えばアンテナによるデジタル放送受信チューナへの無線送出や、ＤＶＤやハードディスクなどの記録媒体への出力（記録）等、各種のデジタル映像再生装置で再生可能なデジタル映像信号の出力である。そして、例えば検査用映像出力装置から無線送出されたデジタル映像信号をデジタル放送受信チューナで受信し、あるいはこの装置によりＤＶＤに記録された映像信号をＤＶＤプレーヤで読み取り、受信あるいは読み取った映像信号のＭＰＥＧストリームに挿入された各画像が一致するか否かを判定することで、チューナでの映像信号の受信、ＤＶＤプレーヤやハードディスクレコーダ等での映像信号の読み取り、チューナやＤＶＤプレーヤ等での映像信号の復調やデコード等の各種処理の過程で映像信号にノイズが混入したか否かを判断できる。即ち、本発明のようなＭＰＥＧストリームを出力すれば、デジタル映像再生装置で画像にノイズが混入するか否かを確認する検査を簡易化でき、特に検査時にその異常が再現されにくいエージング時の検査において効果的である。なお、所定の画像とは、同一の画像であれば何でもよく、例えばカラーバー、モノスコープ、グレースケール、クロスハッチなどである。また、所定の画像が挿入されたフレーム以外のフレームにテレビ放送映像などの任意の画像を挿入してもよい。
【０００９】
請求項３記載の発明は、前記所定の画像のアナログ映像信号の垂直ブランキング期間にパルス信号を重畳する重畳手段をさらに備え、前記作成手段は、前記パルス信号が重畳されたアナログ映像信号に基づいて前記ＭＰＥＧストリームを作成することを特徴とする請求項２記載の検査用映像出力装置である。
【００１０】
本発明によると、デジタル映像信号の出力先においてパルス信号に同期させて所定の画像を取得させることができ、挿入された画像の取得の正確さが増す。
【００１１】
請求項４記載の発明は、前記所定の画像は検査用画像であることを特徴とする請求項２又は３記載の検査用映像出力装置である。
【００１２】
検査用画像とは、映像出力の検査に用いられる各種の画像であり、例えばカラーバー、モノスコープ、グレースケール、クロスハッチなどである。本発明によると、検査用画像の映像信号にノイズが混入した場合、ノイズの混入についてさらに詳しい情報を得ることができる。例えば、検査用画像をマルチフォーマット・カラーバーとすれば、ＨＤモニタの黒レベル輝度設定用信号、ＳＤモニタの黒レベル輝度設定用信号、モニタのクロマ調整用信号等にノイズが混入しているか否かを確認できる。
【００１３】
請求項５記載の発明は、請求項２から４のいずれかに記載の検査用映像出力装置からデジタル映像再生装置に出力されたデジタル映像信号の入力を受け付ける入力手段と、前記入力手段に入力されたデジタル映像信号のフレームから所定の時間間隔ごとに所定の画像を取得する取得手段と、前回取得した所定の画像と今回取得した所定の画像とが一致するか否かを判定し、一致しない場合、所定の第１信号を出力する第１信号出力手段と、を備えることを特徴とするデジタル映像再生装置用検査装置である。
【００１４】
本発明によると、検査用映像出力装置からデジタル放送受信チューナやＤＶＤプレーヤ等のデジタル映像再生装置に出力されたＭＰＥＧストリームのフレームに挿入された所定の画像同士が一致するか否かが判断され、一致しない場合は第１信号が出力される。即ち、チューナでの映像信号の受信、ＤＶＤプレーヤでの映像信号の読み取り、あるいはチューナやＤＶＤプレーヤでの映像信号の復調、デコード等の各種処理の過程で映像信号にノイズが混入したか否かを第１信号の出力で判断でき、検査を簡易化できる。なお、所定の第１信号とは、例えば画像同士が一致しない旨を記録媒体に記録するための信号や、モニタ上に表示するための信号等であるが、本装置から出力される信号であればこれらに限定
されない。
【００１５】
請求項６記載の発明は、前記入力手段に入力されたデジタル映像信号の垂直ブランキング期間に重畳されたパルス信号を検出する検出手段をさらに備え、前記取得手段は、前記パルス信号の検出に応じ、前記入力手段に入力されたデジタル映像信号のフレームから前記所定の時間間隔ごとに所定の画像を取得することを特徴とする請求項５記載のデジタル映像再生装置用検査装置である。
【００１６】
本発明によると、パルス信号に同期させて所定の画像を取得することができる。
【００１７】
請求項７記載の発明は、前記パルス信号が前記所定の時間間隔内で検出されたか否かを判定し、検出されない場合、所定の第２信号を出力する第２信号出力手段をさらに備えることを特徴とする請求項６記載のデジタル映像再生装置用検査装置である。
【００１８】
本発明によると、パルス信号が所定の時間間隔内で検出されなかった場合、所定の第２信号が出力される。従って、デジタル放送受信チューナのようなデジタル機器特有の所謂フリーズ現象が生じた場合でも、これを第２信号の出力から容易に知ることができる。なお、所定の第２信号とは、パルス信号が所定の時間間隔内で検出されなかった旨を記録媒体に記録するための信号や、モニタ上に表示するための信号等であるが、本装置から出力される信号であればこれらに限定されない。
【００１９】
請求項８記載の発明は、少なくとも所定の画像が所定の時間間隔ずつ各フレームに挿入されたＭＰＥＧストリームを作成する作成手段と、前記ＭＰＥＧストリームをデジタル映像信号として出力する映像信号出力手段と、前記映像信号出力手段からデジタル映像再生装置に出力されたデジタル映像信号の入力を受け付ける入力手段と、前記入力手段に入力されたデジタル映像信号のフレームから前記所定の時間間隔ごとに画像を取得する取得手段と、前回取得した画像と今回取得した画像とが一致するか否かを判定し、一致しない場合、所定の第１信号を出力する第１信号出力手段と、を備えることを特徴とするデジタル映像再生装置用検査システムである。
【発明の効果】
【００２０】
本発明によれば、ＭＰＥＧストリームのフレームに挿入された各画像が一致するか否かを判定することで、デジタル映像再生装置の再生画像にノイズが混入するか否かを容易に検査できる。
【発明を実施するための最良の形態】
【００２１】
＜第１実施形態＞
（１）概略構成
図１は、本発明の第１実施形態に係るデジタル放送受信装置検査システムの機能構成図である。このシステムは、検査用映像送出装置１及び検査装置３を含んでおり、量産されるデジタル放送受信装置２の出力映像の異常を検査するために用いられる。検査用映像送出装置１は、パルス重畳部１０、検査用ＭＰＥＧストリーム作成部（以下、作成部）１１、ＭＰＥＧエンコーダ１２、ＴＳ作成部１３、変調器１４、及び送出器１５を備えている。パルス重畳部１０は、入力されるアナログ映像信号の所定位置にパルス信号を重畳して作成部１１に出力するが、詳細な機能は後述する。作成部１１は、パルス重畳部１０から出力されたアナログ映像信号から後述の検査用ＭＰＥＧストリームを作成する。ＭＰＥＧエンコーダ１２は、検査用ＭＰＥＧストリームをデジタル圧縮してエンコードする。ＴＳ作成部は、エンコードされた検査用ＭＰＥＧストリームからトランスポートストリーム（ＴＳ）を作成する。変調器１４は、作成されたＴＳから放送信号を変調する。送出器１５は、アンテナ１６から放送信号をデジタル放送受信装置２に送出する。なお、この検査用映像送出装置１の構成は一例であり、その他の機能、例えば映像データ、音声データ、番組情報等を多重化するマルチプレクサを有していてもよい。
【００２２】
デジタル放送受信装置２は、チューナ２１、復調部及び誤り訂正部（ＦＥＣ）、デスクランブラ２３、デマルチプレクサ（ＤＥＭＵＸ）２４、音声デコーダ２５、映像デコーダ２６、及び信号変換回路２８を備えている。チューナ２１は、アンテナ２０から検査用映像送出装置１の送出した放送信号を受信する。復調部及びＦＥＣ２２は、受信した信号の復調及び誤りの訂正処理を行う。ＤＥＭＵＸ２４は、音声データや映像データ及び番組情報等が多重化されている放送信号から各データを分離抽出する。デスクランブラ２３は、復調された放送信号に付加されている不正視聴防止用のスクランブル信号を解除する。音声デコーダ２５は、デジタル圧縮された音声データをアナログ信号にデコードして各種オーディオ機器に出力する。映像デコーダ２６は、デジタル圧縮された映像データを展開してＲＧＢ信号にデコードする。信号変換回路２８は、ＲＧＢ信号を例えばコンポジットビデオ信号にダウンコンバートし、検査装置３あるいはテレビ受像機等に出力する。なお、このデジタル放送受信装置２の構成は一例であり、その他の機能、例えばＤＥＭＵＸ２４から分離された番組情報から電子番組案内データを作成する機能などを有していてもよい。あるいは、デジタル放送受信装置２を内蔵するビデオテープレコーダ、ＤＶＤレコーダ、ハードディスクビデオレコーダ等に本システムを用いてもよい。
【００２３】
検査装置３は、Ａ／Ｄデコーダ３１、メモリ３２、ＣＰＵ３３、パルス検出部３４及びタイマ３５を備えている。Ａ／Ｄデコーダ３１は、信号変換回路２８から出力されたアナログ映像信号をデジタル映像信号にデコードしてメモリ３２に出力する。ここでは、説明の簡略のため図４に示す後述の検査用ＭＰＥＧストリームの画像を１フレームずつ出力するものとする。メモリ３２は、ＣＰＵ３３の指示に応じてＡ／Ｄデコーダ３１から出力される画像を１フレームずつ記憶する。ＣＰＵ３３は、後述の検査処理を行うが、詳細は後述する。パルス検出部３４は、パルス重畳部１０が重畳したパルス信号を信号変換回路２８の出力したアナログ映像信号から検出してＣＰＵ３３にパルス検出信号を出力する。タイマ３５は、ＣＰＵ３３の指示に応じて経過時間の計測を開始し、計測開始から経過した時間をＣＰＵ３３に出力する。なお、検査装置３は、例えばビデオキャプチャボードを備えるパソコンなどにより構成可能である。
【００２４】
（２）機能構成
（２−１）パルス重畳部
パルス重畳部１０には、テレビ放送映像などの任意の動画を構成する画像及びこの動画の中に所定時間間隔Ｔごと（例えば、１秒ごと）に挿入された同一の静止画像である検査画像を伝送するアナログ映像信号（以下、入力信号）が入力される。ここで、検査画像は同一の画像であれば何でもよく、例えばノイズ検出用のカラーバー、モノスコープ、グレースケール、クロスハッチなどである。図２は、入力信号を模式的に例示したものであり、動画の映像信号をＶ、所定時間間隔Ｔごとに動画の間に挿入された検査画像の映像信号をＶ’で示している。パルス重畳部１０は、入力信号における検査画像の映像信号Ｖ’の垂直ブランキング期間Ｉにパルス信号Ｐを重畳し、作成部１１に出力する。図３は、パルス重畳部１０によりパルス信号Ｐが重畳されて作成部１１に出力されるアナログ映像信号を模式的に例示している。
【００２５】
（２−２）作成部
作成部１１は、パルス重畳部１０から出力されたアナログ映像信号からＭＰＥＧストリームを作成する。図４は、作成部１１が作成する検査用ＭＰＥＧストリームの概念説明図である。このＭＰＥＧストリームは、テレビ放送映像などの任意の動画を構成する画像である動画１、動画２、動画３、・・と、同一の画像である検査画像とを各フレームが含んで構成される。検査画像は、ＭＰＥＧストリームのフレームに所定時間間隔Ｔごと、例えば１秒ごとに挿入されている。
（３）検査処理
検査装置３のＣＰＵ３３は、デジタル放送受信装置２の映像の出力異常を検査するための検査処理を行う。以下、図５のフローチャートに基づいて検査処理の流れを説明する。
【００２６】
ステップ（以下、Ｓで表す）１：ＣＰＵ３３は、タイマ３５に経過時間の計測開始を指示する。タイマ３５は、この指示に応じて経過時間の計測を開始する。
【００２７】
Ｓ２：ＣＰＵ３３は、パルス検出部３４からパルス検出信号が出力されたか否かを判断する。出力された場合、Ｓ３に移行する。出力されない場合、Ｓ７に移行する。
【００２８】
Ｓ３：ＣＰＵ３３は、Ｓ２で検出されたパルス信号が垂直ブランキング期間に重畳されている映像信号に対応する画像を１フレーム分メモリ３２に記憶させる。また、ＣＰＵ３３は、Ｓ１の経過時間計測開始からＳ２のパルス信号検出までの経過時間をタイマ３５から取得してメモリ３２に記憶させる。
【００２９】
Ｓ４：ＣＰＵ３３は、Ｓ３で記憶した画像が１フレーム分だけであるか否かを判断する。１フレーム分だけである場合、Ｓ２に戻り次回のパルス検出信号の出力を待機する。２フレーム分以上の画像が記憶されている場合、Ｓ５へ移行する。
【００３０】
Ｓ５：ＣＰＵ３３は、前回記憶されたフレームの画像と今回記憶されたフレームの画像とが同一であるか否かを判断する。同一の場合、Ｓ２に戻り次回のパルス検出信号の出力を待機する。異なる場合、Ｓ６に移行する。なお、完全に一致する場合のみに同一と判断するのではなく、所定の範囲内での不一致も同一と判断するようにしてもよい。
【００３１】
Ｓ６：ＣＰＵ３３は、映像信号にノイズが発生していることを示すノイズ発生アラートをメモリ３２や印刷媒体などに記録する。そして、Ｓ２に戻る。
【００３２】
Ｓ７：ＣＰＵ３３は、タイマ３５の計測時間を参照し、Ｓ１の経過時間計測開始から所定時間間隔Ｔが経過したか否かを判断する。経過した場合、Ｓ８に移行する。経過していない場合、Ｓ２に戻る。
【００３３】
Ｓ８：ＣＰＵ３３は、デジタル放送受信装置２がハングアップしていることを示すハングアップアラートをメモリ３２や印刷媒体などに記録する。そして、Ｓ９に移行する。なお、タイマ３５の計測時間を参照し、ハングアップしている時間を記録するようにしてもよい。
【００３４】
Ｓ９：ＣＰＵ３３は、パルス検出部３４からパルス検出信号が出力されたか否かを判断する。出力された場合、Ｓ２に戻る。出力されない場合、出力されるまでこの判断を繰り返す。
【００３５】
（４）本実施形態に係るデジタル放送受信装置検査システムの特徴
検査処理のＳ６では、前回記憶されたフレームの画像と今回記憶されたフレームの画像とが異なる場合、ノイズ発生アラートが記録される。このため、チューナ２１、復調部及びＦＥＣ部２２、ＤＥＭＵＸ２４などの異常によりデコードされた映像にノイズが混入していることがノイズ発生アラートの記録から知ることができる。従って、従来のようにデジタル放送受信装置２から出力される映像信号をタイムラプスビデオ等でコマ撮りし、短い再生時間内で撮影映像を目視して映像の異常を監視したりする必要がなく、特に検査時にその異常が再現されにくいエージング時の検査の効率性が増し、検査負担が軽減されてデジタル放送受信装置２の生産性が向上する。
【００３６】
また、検査処理のＳ８では、所定時間間隔Ｔ（例えば、１秒）パルス信号が検出されない場合、ハングアップアラートが記録される。このため、デジタル放送受信装置２のようなデジタル機器特有の所謂フリーズ現象が生じた場合でも、これを検出することができる。なお、ハングアップアラートが記録された後にパルス信号が検出された場合、処理はＳ２に戻るため、一旦フリーズ現象が発生した場合でも復旧した場合には引き続き検査が可能である。
【００３７】
さらに、検査用ＭＰＥＧストリームに挿入される検査画像は同一であれば何でもよいから、例えば検査画像をマルチフォーマット・カラーバーとすれば、ＨＤモニタの黒レベル輝度設定用信号、ＳＤモニタの黒レベル輝度設定用信号、モニタのクロマ調整用信号等にノイズが混入しているか否かを確認できる。このように、検査目的に応じて検査画像を変えることも可能である。
【００３８】
＜その他の実施形態＞
第１実施形態の検査装置３は、デジタル放送受信装置２の検査に用いられたが、これと同様の構成の装置をその他のデジタル映像再生装置、例えばＤＶＤプレーヤ、ビデオテープレコーダ、ハードディスクビデオレコーダなどに用いて検査することも可能である。例えば、図３に示すような、任意の動画の映像信号Ｖ、検査用画像の映像信号Ｖ’及びパルス信号Ｐを含む映像信号をＤＶＤディスク、ビデオテープ、ハードディスクに記録する。そして、記録された映像信号の再生時にパルス検出部３４がパルス信号を検出し、また再生時に映像信号Ｖ’のフレーム画像を第１実施形態と同様にＣＰＵ３３がメモリ３２に記憶させるように検査装置３を構成すれば、ＤＶＤプレーヤ、ビデオテープレコーダ、ハードディスクビデオレコーダなどの異常を検査できる。
【図面の簡単な説明】
【００３９】
【図１】デジタル放送受信装置検査システムの機能構成図。
【図２】入力信号の概念説明図。
【図３】映像信号の概念説明図。
【図４】検査用ＭＰＥＧストリームの概念説明図。
【図５】検査処理の流れを示すフローチャート。
【符号の説明】
【００４０】
１：検査用映像送出装置
１０：パルス重畳部
１１：検査用ＭＰＥＧストリーム作成部
２：デジタル放送受信装置
３：検査装置
３４：パルス検出部
【図１】
2005340970.tif 000003
【図２】
2005340970.tif 000004
【図３】
2005340970.tif 000005
【図４】
2005340970.tif 000006
【図５】
2005340970.tif 000007